(57)【要約】【課題】フラップに形成された解体用切込線を破断した後、フラップを持ち上げて解体することが可能であることに加え、上記解体用切込線を破断せずにフラップを容易に持ち上げることができ、簡単な動作で解体が可能である衛生用紙収納用カートンを提供する。【解決手段】上面２、底面４、一対の側面６、及び一対の妻面８を有する略直方体状であり、妻面８は、底面４から延出する内側フラップ２０ａと、上面２から延出し、内側フラップ２０ａの外側に位置する外側フラップ２０ｂと、を備え、内側フラップ２０ａには、その先端縁の一部を基点として、外側フラップ２０ｂと重合する重合部分、重合部分以外の非重合部分２９、重合部分を順次通過するような軌跡を描く解体用切込線３１ａが形成されるとともに、外側フラップ２０ｂ側の面に、重合部分から非重合部分２９に至る押し罫３５が形成されている衛生用紙収納用カートン１００。【選択図】図１
2010168095.tif 000002
【特許請求の範囲】
【請求項１】
上面、底面、一対の側面、及び一対の妻面を有し、これらの面によって区画され、衛生用紙を収納し得る内部空間が形成された略直方体状であり、
前記妻面は、前記上面及び前記底面からそれぞれ延出し、その先端部が互いに重合した一対のフラップによって形成されており、
前記フラップは、前記内部空間側に位置する内側フラップと、前記内側フラップの外側に位置する外側フラップと、を備え、
前記内側フラップには、その先端縁の一部を基点とする、前記外側フラップと重合する重合部分、前記重合部分以外の非重合部分、前記重合部分を順次通過するような軌跡を描く解体用切込線が形成されるとともに、前記外側フラップ側の面に、前記重合部分から前記非重合部分に至る押し罫が形成されている衛生用紙収納用カートン。
【請求項２】
前記押し罫は、前記先端縁の中央部分を基点として放射状に複数形成されている請求項１に記載の衛生用紙収納用カートン。
【請求項３】
前記押し罫は、前記内側フラップと、前記内側フラップが延出する前記上面または前記底面との稜線の中央部分を基点として放射状に複数形成されている請求項１に記載の衛生用紙収納用カートン。
【請求項４】
前記内側フラップには、前記押し罫と交差する第一の補助用押し罫が更に形成されている請求項３に記載の衛生用紙収納用カートン。
【請求項５】
前記押し罫は、前記解体用切込線と前記先端縁に囲まれた先端部分に形成されている請求項１〜４のいずれか一項に記載の衛生用紙収納用カートン。
【請求項６】
前記内側フラップには、前記内側フラップの前記先端部分以外の部分に、前記稜線の前記中央部分を基点とする放射状に複数の第二の補助用押し罫が更に形成されている請求項５に記載の衛生用紙収納用カートン。
【発明の詳細な説明】
【技術分野】
【０００１】
本発明は、衛生用紙収納用カートンに関し、更に詳しくは、フラップに形成された解体用切込線を破断した後、フラップを持ち上げて解体することが可能であることに加え、上記解体用切込線を破断せずにフラップを容易に持ち上げることもでき、簡単な動作で解体が可能である衛生用紙収納用カートンに関する。
【背景技術】
【０００２】
一般に、ティシュペーパーは、直方体や立方体の箱（以下、「カートン」と記す場合がある）の内部空間に収納された形で使用されている。使用者は、ティシュペーパーを使用するに際し、箱の一面（通常は箱の上面）に設けられている所定形状の取出口形成用の切込線を切り離すことによって、箱に細長い取出口を形成することができる。
【０００３】
このような箱は頑丈であり使用後に解体し難い。そのため、妻面を形成する一対のフラップのうち内側のフラップ（内側フラップ）に、円弧状や略Ｕ字状の解体用のミシン線を形成することが行われている（例えば、特許文献１〜３参照）。そして、カートンの使用後、上記ミシン線（切込み）を切り離すことにより内側フラップに開口を形成し、その開口に指を差し込み、内側フラップの外側にある外側フラップを引っ掛けてそのまま外側に引っ張ることで、一対のフラップを無理無く二分することができる。このように、解体を容易にするためのミシン線を形成したカートンが知られている。
【先行技術文献】
【特許文献】
【０００４】
【特許文献１】特許第４１４２２３８号公報
【特許文献２】実開平２−１２７２号公報
【特許文献３】特開２００３−２９２０７０号公報
【発明の概要】
【発明が解決しようとする課題】
【０００５】
特許文献１に記載した箱は、接合剤付着量が減少されているので、箱の解体時に、妻面を形成する一対のフラップの接合部を剥がし易く、解体し易いものである。また、特許文献２に記載した箱は、一対のフラップの接合部を剥離し易いものである。しかしながら、特許文献１〜３のいずれの箱であっても、簡単な操作で解体することについては未だ改良の余地があった。具体的には、箱の解体時に、上記ミシン線を切り離すことによりフラップに開口を形成し、この開口に指を差し込むこと（第一のアクション）、及び、開口に指を差し込んだ後、フラップを引っ掛けてそのまま外側に引っ張ること（第二のアクション）が必要であり、使用者によっては解体動作が煩雑であると感じることがあった。
【０００６】
また、上述のように第一のアクション及び第二のアクションによって箱を解体した際には、切り離されたフラップの一部が箱から脱落して紙片を生じる場合があった。そして、この紙片を別途廃棄する必要があるため、手間がかかるという問題があった。
【０００７】
本発明は、このような従来技術の有する問題点に鑑みてなされたものであり、フラップに形成された解体用切込線を破断した後、フラップを持ち上げて解体することが可能であることに加え、上記解体用切込線を破断せずにフラップを容易に持ち上げることもでき、簡単な動作で解体が可能である衛生用紙収納用カートンを提供するものである。
【課題を解決するための手段】
【０００８】
本発明によれば、以下に示す衛生用紙収納用カートンが提供される。
【０００９】
［１］上面、底面、一対の側面、及び一対の妻面を有し、これらの面によって区画され、衛生用紙を収納し得る内部空間が形成された略直方体状であり、前記妻面は、前記上面及び前記底面からそれぞれ延出し、その先端部が互いに重合した一対のフラップによって形成されており、前記フラップは、前記内部空間側に位置する内側フラップと、前記内側フラップの外側に位置する外側フラップと、を備え、前記内側フラップには、その先端縁の一部を基点として、前記外側フラップと重合する重合部分、前記重合部分以外の非重合部分、前記重合部分を順次通過するような軌跡を描く解体用切込線が形成されるとともに、前記外側フラップ側の面に、前記重合部分から前記非重合部分に至る押し罫が形成されている衛生用紙収納用カートン。
【００１０】
［２］前記押し罫は、前記先端縁の中央部分を基点として放射状に複数形成されている前記［１］に記載の衛生用紙収納用カートン。
【００１１】
［３］前記押し罫は、前記内側フラップと、前記内側フラップが延出する前記上面または前記底面との稜線の中央部分を基点として放射状に複数形成されている前記［１］に記載の衛生用紙収納用カートン。
【００１２】
［４］前記内側フラップには、前記押し罫と交差する第一の補助用押し罫が更に形成されている前記［３］に記載の衛生用紙収納用カートン。
【００１３】
［５］前記押し罫は、前記解体用切込線と前記先端縁に囲まれた先端部分に形成されている前記［１］〜［４］のいずれかに記載の衛生用紙収納用カートン。
【００１４】
［６］前記内側フラップには、前記内側フラップの前記先端部分以外の部分に、前記稜線の前記中央部分を基点とする放射状に複数の第二の補助用押し罫が更に形成されている前記［５］に記載の衛生用紙収納用カートン。
【発明の効果】
【００１５】
本発明の衛生用紙収納用カートンは、フラップに形成された解体用切込線を破断した後、フラップを持ち上げて解体することが可能であることに加え、上記解体用切込線を破断せずにフラップを容易に持ち上げることもでき、簡単な動作で解体が可能であるという効果を奏するものである。
【図面の簡単な説明】
【００１６】
【図１】本発明の衛生用紙収納用カートンの一の実施形態を示す斜視図である。
【図２】図１に示す衛生用紙収納用カートンを展開した展開図である。
【図３】図１に示す衛生用紙収納用カートンにおいて外側フラップを持ち上げて内側フラップから引き剥がした後の、外側フラップと内側フラップとの一の接合構造を示した正面図である。
【図４】図１に示す衛生用紙収納用カートンにおいて外側フラップを持ち上げて内側フラップから引き剥がした後の、外側フラップと内側フラップとの他の接合構造を示した正面図である。
【図５】図１に示す衛生用紙収納用カートンの一方の妻面を示す正面図である。
【図６】図５のＡ−Ａ’線に沿う断面図である。
【図７】図５のＢ−Ｂ’線に沿う断面図である。
【図８】別の構造の内側フラップを有する衛生用紙収納用カートンを図３に対応させて示した正面図である。
【図９】別の構造の内側フラップを有する衛生用紙収納用カートンを図３に対応させて示した正面図である。
【図１０】別の構造の内側フラップを有する衛生用紙収納用カートンを図３に対応させて示した正面図である。
【図１１】図１に示す衛生用紙収納用カートンの一の解体工程を図７に対応させて示した断面図である。
【図１２】図１に示す衛生用紙収納用カートンの一の解体工程を図７に対応させて示した断面図である。
【図１３】図１に示す衛生用紙収納用カートンの別の解体工程を図７に対応させて示した断面図である。
【図１４】図１３に示す解体工程における衛生用紙収納用カートンを示す斜視図である。
【発明を実施するための形態】
【００１７】
以下、本発明を実施するための形態について説明するが、本発明は以下の実施の形態に限定されるものではない。即ち、本発明の趣旨を逸脱しない範囲で、当業者の通常の知識に基づいて、以下の実施の形態に対し適宜変更、改良等が加えられたものも本発明の範囲に属することが理解されるべきである。
【００１８】
［１］衛生用紙収納用カートン：
図１に示す衛生用紙収納用カートン１００は、本発明の衛生用紙収納用カートンの一実施形態を示す衛生用紙収納用カートンである。衛生用紙収納用カートン１００は、上面２、底面４、一対の側面６、及び一対の妻面８を有し、これらの面によって区画され、衛生用紙を収納し得る内部空間が形成された略直方体状である。そして、妻面８は、上面２及び底面４からそれぞれ延出し、その先端部が互いに重合した一対のフラップ２０によって形成されている。そして、フラップ２０は、内部空間側に位置する内側フラップ２０ａと、内側フラップ２０ａの外側に位置する外側フラップ２０ｂと、を備え、内側フラップ２０ａには、その先端縁の一部を基点とする、外側フラップ２０ｂと重合する重合部分（図６及び図７に示す重合部分２８）、重合部分以外の非重合部分２９、重合部分を順次通過するような軌跡を描く解体用切込線３１ａが形成されるとともに、外側フラップ２０ｂ側の面に、重合部分から非重合部分２９に至る押し罫３５が形成されている。
【００１９】
このような衛生用紙収納用カートンは、フラップに形成された解体用切込線を破断した後、フラップを持ち上げて解体することが可能であることに加え、上記解体用切込線を破断せずにフラップを容易に持ち上げることもでき、簡単な動作で解体が可能である。即ち、従来の方法に従って解体することができるとともに、簡単な操作（一つのアクション）で解体することもできる衛生用紙収納用カートンである。
【００２０】
衛生用紙収納用カートン１００は、図２に示すカートンブランク１０１を折り曲げることによって、上述した上面２、底面４、一対の側面６、及び一対の妻面８を有する略直方体状に形成される。図２に示すカートンブランク１０１は、一枚の紙材料からなり、紙材料としては、例えば、木材パルプ、古紙等を原料として製造されたものを用いることができる。
【００２１】
図２に示すカートンブランク１０１は、上面２に相当する部分の端縁から、第一の折り曲げ線１５を介して一のフラップ（外側フラップ２０ｂ）が延出されており、底面４に相当する部分の端縁からは、第二の折り曲げ線１６を介して他のフラップ（内側フラップ２０ａ）が延出されている。更に、底面４に相当する部分一の側縁部からは、第三の折り曲げ線１７を介して、側面接合代３２が延出されている。また、一対の側面６に相当する部分の端縁からは、第四の折り曲げ線１８を介してフラップ２５が延出されている。
【００２２】
衛生用紙収納用カートン１００は、具体的には、以下のように形成することができる。まず、図２に示すカートンブランク１０１を用意し、このカートンブランク１０１を上面２、底面４、及び一対の側面６の４面を有する角筒状体となるように折り曲げ、側面接合代３２と側面６ａを接合する。次に、第四の折り曲げ線１８にて側面フラップ１５を折り曲げる。次いで、第二の折り曲げ線１６にて内側フラップ２０ａを折り曲げ、その後、第一の折り曲げ線１５にて外側フラップ２０ｂを折り曲げて内側フラップ２０ａ及び外側フラップ２０ｂを重ね合わせた後、重ね合わせた部分（重合部分）で接合することによって、一対の妻面８（図１参照）を形成する。このようにして図１に示す衛生用紙収納用カートン１００を形成することができる。なお、衛生用紙が収納されたカートンを製造する際には、一対の妻面の両方を形成する前に、上記角筒状体の内部空間に衛生用紙を収納する工程が必要である。
【００２３】
衛生用紙の種類について特に制限はなく、例えば、ティシュペーパー（顔ふき紙、化粧紙等と呼ばれるもの）、保湿ティシュ、ちり紙、ペーパータオル（キッチンペーパー等）、トイレットペーパー（ロールを除く）、ワッティング（紙綿）、等の使い捨て紙（例えば、紙パルプ技術便覧第５版、第４５９頁参照、１９９２年１月３０日発行、紙パルプ技術協会編集・発行）等を挙げることができる。
【００２４】
［１−１］妻面：
妻面は、上面及び底面からそれぞれ延出し、その先端部が互いに重合した一対のフラップ（内側フラップ及び外側フラップ）によって形成されるものであり、上述したように、内側フラップ及び外側フラップを折り曲げ、重ね合わせた後、重ね合わせた部分（重合部分）を接合することによって形成することができる。なお、妻面は、図１４に示すように向かい合う一対の面である。
【００２５】
内側フラップ及び外側フラップの形状は、特に制限はなく、従来公知の衛生用紙収納用カートンのフラップと同様の形状とすることができる。例えば、内側フラップとしては、図２に示すように、その先端部分に突出部２７を有している形状とすることができる。
【００２６】
内側フラップ及び外側フラップを接合する方法は、特に制限はなく、従来公知の方法を適宜採用することができる。例えば、図３に示すように、外側フラップ２０ｂを内側フラップ２０ａに点付けするように接着剤を内側フラップ２０ａに塗布（いわゆる、「２点打ち」）して接着部３０ａを設けてもよいし、図４に示すように、外側フラップ２０ｂを内側フラップ２０ａに一直線上に連続して接着剤を塗布（いわゆる、「一条打ち」）して接着部３０ｂを設けてもよい。なお、図３及び図４は、妻面８の外側フラップ２０ｂを持ち上げて、内側フラップ２０ａから外側フラップ２０ｂを引き剥がした状態を示している。
【００２７】
いわゆる、２点打ちによって内側フラップ及び外側フラップを接合した場合、内側フラップ２０ａと外側フラップ２０ｂとの間には隙間が形成され易くなる。そのため、上記先端縁の中央部分を基点として押し罫を内側フラップに形成すると、内側フラップ２０ａと外側フラップ２０ｂとの間には隙間が形成され易くなり、この隙間から外側フラップの先端縁に指を引掛けて更に容易（簡単）に妻面（衛生用紙収納用カートン）を解体することができるという利点がある。
【００２８】
また、いわゆる、一条打ちによって内側フラップ及び外側フラップを接合した場合であっても、上記押し罫を形成することによって、内側フラップ２０ａと外側フラップ２０ｂとの間に隙間が形成され、この隙間から外側フラップの先端縁に指を引掛けて容易に妻面を解体することができる。
【００２９】
図５は、図１に示す衛生用紙収納用カートン１００の一方の妻面８を示す正面図である。この妻面８は、内側フラップ２０ａ及び外側フラップ２０ｂを、図４に示すような、いわゆる、一条打ちによって接合している例であり（接合部は図示していない）、図６は、図５のＡ−Ａ’線に沿う断面図であり、図７は、図５のＢ−Ｂ’線に沿う断面図である。図７に示すように、押し罫３５によって、内側フラップ２０ａと外側フラップ２０ｂとの間には隙間が形成されているため、この隙間から指先の腹を外側フラップ２０ｂの先端縁に容易に引っ掛けることができ、妻面を簡単に解体することができる。
【００３０】
［１−１−１］解体用切込線：
解体用切込線は、内側フラップの先端縁の一部を基点として、外側フラップと重合する重合部分、重合部分以外の非重合部分、重合部分を順次通過するような軌跡を描く切込線である。このような解体用切込線を形成すると、衛生用紙収納用カートンを容易に解体することができる。即ち、衛生用紙収納用カートンを解体する際に、この解体用切込線に沿って妻面を押し破り、貫通孔を形成した後、この貫通孔に指先を入れて外側フラップを持ち上げると、妻面を容易に解体することができ、衛生用紙収納用カートンを容易に解体することができる。
【００３１】
解体用切込線は、内側フラップの先端縁の一部を基点とする限り基点の位置は特に制限はない。例えば、図２は、突出部２７の両端を基点Ｘとした解体用切込線３１ａを示す例であり、図９は、突出部２７以外の部分に基点Ｙが位置する解体用切込線３１ｂを示す例である。
【００３２】
解体用切込線は、上記軌跡を描く限り特に制限はなく、例えば、非重合部分に位置する形状が、円弧状、コの字状、Ｖ字状などの切込線とすることができる。図１は、非重合部分２９に位置する形状が円弧状である解体用切込線３１ａを示す例である。
【００３３】
また、解体用切込線としては、例えば、直線状の切れ目（スリット）で形成されていても、部分的につながりを有するミシン線でもよく、包装業界でジッパーと呼称されている切れ目が鉤形に屈曲した切込線（包装産業の周知・慣用技術集第２８１頁参照、昭和５３年１２月２０日特許庁発行）、ミシン線を二重線としてもよい。図２は、ミシン線により解体用切込線３１ａが形成された内側フラップ２０ａを示す例である。図８は、外側フラップ２１ｂを持ち上げて内側フラップ２１ｂから引き剥がした後の衛生用紙収納用カートン１０１を示す正面図であり、内側フラップ２１ａに、切れ目が鉤形に屈曲した解体用切込線３１ｃが形成された例を示している。このような切れ目が鉤形に屈曲した解体用切込線３１ｃは、不用意に破断しないような十分な強度を確保することができるという利点がある。
【００３４】
［１−１−２］押し罫：
押し罫は、内側フラップの、外側フラップ側の面に、重合部分から非重合に至って形成されているものである。この押し罫は、例えば、押し刃等によって原紙を押圧して形成することができる。具体的には、打抜型を用いた打抜工程において、原紙を、硬化紙製等の雌型を設けた鉄板と金属製の罫線板との間に挟み込んで加圧することによって形成することができる。押し罫を形成することによって、内側フラップと外側フラップの間に隙間が形成されるため、この隙間から外側フラップの先端縁に指を引っ掛け易くなる。そのため、容易に外側フラップを引き上げることができ、妻面を簡単な動作（１つのアクション）で解体することができるという利点がある。また、解体用切込線に沿って破断して妻面を解体するときのように、内側フラップの一部が脱落して紙片を生じることもなく、この紙片を別途廃棄する必要もない。
【００３５】
本発明の衛生用紙収納用カートンの押し罫は、上述したように、重合部分から非重合部分に至って形成されていれば特に制限はないが、第一の態様として、複数形成されており、複数の押し罫は、先端縁の中央部分を基点として放射状に形成されていることが好ましい。このように押し罫を形成すると、内側フラップと外側フラップの間の隙間から外側フラップの先端縁に指を引掛けて外側フラップを引き上げる際に、この外側フラップに均等に力がかかるため、更に容易に解体することができるという利点がある。押し罫は、１〜１０本形成することが好ましく、２〜５本形成することが更に好ましい。押し罫が２本未満であると、外側フラップと内側フラップとの間に十分な隙間が形成され難くなり、外側フラップの先端縁に指を引っ掛けて解体する作業が困難となるおそれがある。一方、押し罫が５本超であると、内側フラップの撓み（歪）が分散し、外側フラップと内側フラップの間の隙間が却って形成され難くなり、外側フラップの先端縁に指を引っ掛けて解体する作業が困難となるおそれがある。
【００３６】
そして、押し罫は、解体用切込線と先端縁に囲まれた先端部分に形成されていることが好ましい。このように押し罫を形成すると、解体用切込線の内側（先端部分）を押し込んだときに解体用切込線が切れ易くなり、解体用切込線に沿って破断して解体する作業が容易となる。
【００３７】
図２は、解体用切込線３１ａと先端縁３３に囲まれた先端部分３４に、先端縁の中央部分を基点とする放射状に３つの直線状の押し罫３５ａ，３５ｂ，３５ｃが形成されている内側フラップ２０ａを示す例である。３つの直線状の押し罫３５ａ，３５ｂ，３５ｃは、中央に位置する押し罫３５ａの幅が、この押し罫３５ａの両側に位置する押し罫３５ｂ，３５ｃよりも広くなっている。このように押し罫を形成すると、内側フラップに撓みを保持し易くなるため、外側フラップと内側フラップとの間の隙間を形成し易くなり、外側フラップの先端縁に指を引っ掛けて解体する作業が容易となる。中央に位置する押し罫３５ａの幅は、２〜５ｍｍとすることが好ましく、３〜４ｍｍとすることが更に好ましい。
【００３８】
また、図９は、外側フラップ２２ｂを持ち上げて内側フラップ２２ｂから引き剥がした後の衛生用紙収納用カートン１０２を示す正面図であり、内側フラップ２２ａに、解体用切込線３１ａと先端縁３３に囲まれた先端部分３４に、先端縁の中央部分を基点として放射状に３つの直線状の押し罫３６ａ，３６ｂ，３６ｃが形成されている例を示している。なお、３つの直線状の押し罫３６ａ，３６ｂ，３６ｃは、全て同じ幅であり、その幅は、０．５〜１．５ｍｍとすることが好ましく、０．７〜１．２ｍｍとすることが更に好ましい。
【００３９】
上記押し罫の第二の態様としては、複数形成されており、複数の押し罫は、内側フラップと、この内側フラップが延出する上面または底面との稜線の中央部分を基点として放射状に形成されていることが好ましい。このように押し罫を形成すると、押し罫を形成した内側フラップが、内部空間側に撓み易くなるため、内側フラップと外側フラップとの間に隙間が形成され易くなる。そのため、この隙間から外側フラップの先端縁に指をかけることによって、簡単な動作（１つのアクション）で妻面を解体することができるという利点がある。複数の押し罫としては、２〜１２本とすることが好ましく、３〜５本とすることが更に好ましい。押し罫が２本未満であると、外側フラップと内側フラップとの間に十分な隙間が形成され難くなるため、この隙間から外側フラップの先端縁に指を引っ掛けて解体する作業が比較的困難となるおそれがある。一方、押し罫が５本超であると、押し罫どうしが干渉しあい、外側フラップと内側フラップとの間に隙間が形成され難くなる。そのため、この隙間から外側フラップの先端縁に指を引っ掛けて解体する作業が比較的困難となるおそれがある。
【００４０】
そして、本態様においても押し罫は、解体用切込線と先端縁に囲まれた先端部分に形成されていることが好ましい。このように押し罫を形成すると、解体用切込線の内側を押し込んだときに解体用切込線が切れ易くなり、解体用切込線に沿って破断して解体する作業が容易となる。
【００４１】
図１０は、外側フラップ２３ｂを持ち上げて内側フラップ２３ｂから引き剥がした後の衛生用紙収納用カートン１０３を示す正面図である。そして、内側フラップ２３ａには、解体用切込線３１ｃと先端縁３３に囲まれた先端部分３４であって、内側フラップ２３ａと、この内側フラップ２３ａが延出する底面４との稜線３８の中央部分を基点として放射状に３つの直線状の押し罫３７ａ，３７ｂ，３７ｃが形成されている例を示している。なお、３つの直線状の押し罫３７ａ，３７ｂ，３７ｃは、全て同じ幅であり、その幅は、０．５〜１．５ｍｍとすることが好ましく、０．７〜１．２ｍｍとすることが更に好ましい。
【００４２】
更に、内側フラップには、押し罫と交差する第一の補助用押し罫が更に形成されていることが好ましい。このように第一の補助用押し罫を形成すると、内側フラップが内部空間側に更に撓み易くなるという利点がある。
【００４３】
図１０に示す内側フラップ２３ａは、３つの直線状の押し罫３７ａ，３７ｂ，３７ｃと交差するくの字状の第一の補助用押し罫４１が更に形成されている例を示している。
【００４４】
また、内側フラップには、内側フラップの先端部分以外の部分に、稜線の中央部分を基点として放射状に複数の第二の補助用押し罫が更に形成されていることが好ましい。このように第二の補助用押し罫を形成すると、内側フラップが内部空間側に更に撓み易くなるという利点がある。
【００４５】
図１０に示す内側フラップ２３ａは、その先端部分３４以外の部分に、稜線３８の中央部分を基点として放射状に２本の直線状の第二の補助用押し罫４２ａ，４２ｂが更に形成され、この２本の第二の補助用押し罫４２ａ，４２ｂがＬ字状をなしている例を示している。
【００４６】
［１−２］取出口形成用切込線：
本発明の衛生用紙収納用カートンは、上面に、環状の取出口形成用切込線を形成することができる。この取出口形成用切込線は、衛生用紙収納用カートンの取出口を形成するための切込線であり、衛生用紙収納用カートン内に収納した衛生用紙を取り出すための取出口の外周形状と一致する。使用者は、カートンの使用に際し、この取出口形成用切込線を破断し、取出口形成用切込線によって包囲された部分（切取片）を取り除くことによって取出口を形成することができる。
【００４７】
図１に示す衛生用紙収納用カートン１００は、取出口を形成するための環状の取出口形成用切込線１１が形成されている例である。なお、取出口形成用切込線は、一般的に、衛生用紙収納用カートンの上面に形成されることが多いが、上面に形成しなくてもよい。従って、衛生用紙収納用カートンの上面以外の他の面に形成してもよい。また、取出口形成用切込線は、二以上の面（例えば、上面と底面）に形成されていてもよい。
【００４８】
取出口形成用切込線の形状は、衛生用紙収納用カートンや衛生用紙の形状に応じて適宜選択することができ、環状であることが好ましいが、具体的には、楕円形状、長円形状、長方形状、菱形状、その他の多角形状等とすることができる。取出口形成用切込線は、解体用切込線と同様にミシン目状などとすることができる。
【００４９】
また、衛生用紙収納用カートン１００には、取出口形成用切込線１１の二点を繋ぐように、引剥がし用切込線１２が形成されていてもよい。このような引剥がし用切込線を形成すると、切取片の引き剥がしが容易になるという利点がある。
【００５０】
図１に示す衛生用紙収納用カートン１００は、略長方形状の取出口形成用切込線１１の端部側に、略Ｕ字状の引剥がし用切込線１２が形成されている例である。また、図１に示す衛生用紙収納用カートン１００は、取出口形成用切込線１１のうち、引剥がし用切込線１２より内側の部分を、２重線のミシン目とした例である。
【００５１】
本発明の衛生用紙収納用カートンは、取出口を形成する面（図１に示す衛生用紙収納用カートン１００においては上面２）の内側に、取出口を被覆するフィルムが配設されたフィルム付きカートンであってもよし、フィルムが配設されていないフィルムレスカートンであってもよい。
【００５２】
フィルム付きカートンのフィルムとしては、例えば、ポリエチレン、ポリプロピレン、ポリ塩化ビニル、ポリエステル、ポリビニルアルコール等のプラスチック；グラシン紙、クラフト紙、ケント紙、インディア紙等の印刷用紙、書道用紙、包装紙、加工原紙等の紙等を用いることができる。また、上記プラスチックとしては、生分解性プラスチックを用いてもよい。
【００５３】
［１−３］その他の切込線：
本発明の衛生用紙収納用カートンには、取出口形成用切込線及び引剥がし用切込線以外に、その他の切込線を形成しておいてもよい。その他の切込線としては、例えば、押上片形成用切込線を挙げることができる。押上片形成用切込線は、取出口形成用切込線が形成された面（通常、上面）と対向する面（通常、底面）に、一対の押上片を形成するための切込線である。このような押上片形成用切込線を形成した場合、押上片形成用切込線を押圧して押し破り、衛生用紙収納用カートンの内側に折り曲げると、一対の押上片を形成することができる。そして、この押上片によって、衛生用紙収納用カートン内部の衛生用紙を上面側に押し上げることができるため、衛生用紙を安定してポップアップさせることが可能となる。即ち、最後の一枚の衛生用紙であってもポップアップさせることができ、上面に形成された取出口から取り出すことができる。
【００５４】
図２に示すカートンブランク１０１は、底面４に相当する面の中央部分にＵ字状の押上片形成用切込線１３が一対形成されている例である。
【００５５】
［２］解体方法：
本発明の衛生用紙収納用カートンは、第一の態様として、従来の衛生用紙収納用カートンと同様に、一方のフラップに形成された解体用切込線を破断した後、他方のフラップを持ち上げて解体することが可能である。
【００５６】
図１１は、内側フラップ２０ａの非重合部分２９のうち先端部分３４を押圧して解体用切込線３１ａを破断して貫通孔４３を形成した衛生用紙収納用カートン１００の一部を示す断面図である。図１２は、貫通孔４３に指先を入れて外側フラップ２０ｂを持ち上げて、妻面が解体された衛生用紙収納用カートン１００の一部を示す断面図である。
【００５７】
また、本発明の衛生用紙収納用カートンは、第二の態様として、解体用切込線を破断せずに外側に位置する外側フラップを持ち上げることによって解体することが可能である。
【００５８】
図１３は、衛生用紙収納用カートン１００の解体用切込線を破断せずに、外側フラップ２０ｂに指先５０を引っ掛けて持ち上げる状態を示しており、衛生用紙収納用カートン１００の一部の断面を示す説明図である。図１４は、外側フラップ２０ｂを持ち上げて一対の妻面を解体した状態の衛生用紙収納用カートン１００を示す斜視図である。なお、接合部３０ｂは図示していない。
【００５９】
以上のように、本発明の衛生用紙収納用カートンは、上記第一の態様及び第二の態様のいずれの態様でも解体することができる。そのため、従来の解体方法を好む場合には、第一の態様によって衛生用紙収納用カートンを解体することができ、また、例えば、子供や女性などのように力の弱い者は、第二の態様によって簡単に衛生用紙収納用カートンを解体することができる。このように本発明の衛生用紙収納用カートンは、使用者が適宜、解体方法を選択することができる。
【産業上の利用可能性】
【００６０】
本発明の衛生用紙収納用カートンは、内部空間にティシュペーパーが収納されて使用されるカートンとして好適に用いることができる。
【符号の説明】
【００６１】
２：上面、４：底面、６，６ａ：側面、８：妻面、１１：取出口形成用切込線、１２：引剥がし用切込線、１３：押上片形成用切込線、１５：第一の折り曲げ線、１６：第二の折り曲げ線、１７：第三の折り曲げ線、１８：第四の折り曲げ線、２０：一対のフラップ、２０ａ：内側フラップ、２０ｂ：外側フラップ、２５：側面フラップ、２７：突出部、２８：重合部分、２９：非重合部分、３０ａ，３０ｂ：接合部、３１ａ，３１ｂ，３１ｃ：解体用切込線、３２：側面接合代、３３：先端縁、３４：先端部分、３５，３５ａ，３５ｂ，３５ｃ，３６ａ，３６ｂ，３６ｃ，３７ａ，３７ｂ，３７ｃ：押し罫、３８：稜線、４１：第一の補助用押し罫、４２ａ，４２ｂ：第二の補助用押し罫、４３：貫通孔、５０：指先、１００,１０１,１０２,１０３：衛生用紙収納用カートン、２００：カートンブランク、Ｘ，Ｙ：基点。
【図１】
2010168095.tif 000003
【図２】
2010168095.tif 000004
【図３】
2010168095.tif 000005
【図４】
2010168095.tif 000006
【図５】
2010168095.tif 000007
【図６】
2010168095.tif 000008
【図７】
2010168095.tif 000009
【図８】
2010168095.tif 000010
【図９】
2010168095.tif 000011
【図１０】
2010168095.tif 000012
【図１１】
2010168095.tif 000013
【図１２】
2010168095.tif 000014
【図１３】
2010168095.tif 000015
【図１４】
2010168095.tif 000016